(57)【要約】【課題】開口部を塞ぐという本来の機能を有し、かつ、床面の温度調整を迅速かつ精度良く行うピットカバーシステムを得る。【解決手段】キャタピラ部１６における複数のキャタピラ単体６の少なくとも一部が床面を構成している。各キャタピラ単体６は液体流路本体部６１を有し、液体流路本体部６１の給水口に熱交換用液体３５を受け、熱交換用液体３５が上記流路構造内を流れ、液体流路本体部６１の排水口から熱交換用液体３５を排出している。複数のキャタピラ単体６間のうち、隣接する一対のキャタピラ単体６のホース接続部６３，６３間を給水用あるいは排水用のホース４０で接続することにより、複数のキャタピラ単体６間で熱交換用液体３５の中継が行える中継経路Ｒ１が設けられる。【選択図】図２
2020085752.tif 000002
【特許請求の範囲】
【請求項１】
ピットの上面部に配設された開口部を塞ぐ床面を構成する移動式のキャタピラ部を有するピットカバーシステムであって、
前記キャタピラ部は複数のキャタピラ単体を有し、前記複数のキャタピラ単体は、それぞれ給水口から熱交換用液体を受け、排水口から熱交換用液体を排出する流路構造を有し、
前記複数のキャタピラ単体の給水口に中継給水経路を介して熱交換用液体を給水する給水機構と、
前記複数のキャタピラ単体の排水口から排出される熱交換用液体を、中継排水経路を介して排出する排水機構とをさらに備える、
ピットカバーシステム。
【請求項２】
請求項１記載のピットカバーシステムであって、
各々が、複数のキャタピラ単体のうち、互いに隣接する一対のキャタピラ単体間を跨るように設けられる所定数の渡り板をさらに備え、
前記所定数の渡り板はそれぞれ、互いに隣接する前記一対のキャタピラ単体のうち、一方にのみ固定される、
ピットカバーシステム。
【請求項３】
請求項１または請求項２記載のピットカバーシステムであって、
前記中継給水経路はｎ（≧２）個の中継給水経路を含み、
前記中継排水経路はｎ（≧２）個の中継排水経路を含み、
前記ｎ個の中継給水経路は、前記複数のキャタピラ単体の給水口に対し所定方向に沿ってｎ個置きに接続され、
前記ｎ個の中継排水経路は、前記複数のキャタピラ単体の排水口に対し前記所定方向に沿ってｎ個置きに接続される、
ピットカバーシステム。
【請求項４】
請求項３記載のピットカバーシステムであって、
前記複数のキャタピラ単体はそれぞれ、前記ｎ個の中継給水経路との接続用の給水補助部を有し、
前記ｎ個の中継給水経路は、第１〜第ｎの中継給水経路からなり、
前記給水補助部は、外部より熱交換用液体を受ける給水中継入力部と、外部に熱交換用液体を供給する給水中継出力部とを有し、前記第１〜第ｎの中継給水経路のうち一の中継給水経路の一部として機能し、
前記給水中継入力部及び前記給水中継出力部は、前記第１〜第ｎの中継給水経路のうち一の中継給水経路の一部として機能する際、折り返し経路が形成されるように前記所定方向において一方端側及び他方端側となる第１の位置関係で配置され、
前記複数のキャタピラ単体はそれぞれ、前記ｎ個の中継排水経路との接続用の排水補助部を有し、
前記ｎ個の中継排水経路は、第１〜第ｎの中継排水経路からなり、
前記排水補助部は、外部より熱交換用液体を受ける排水中継入力部と、外部に熱交換用液体を供給する排水中継出力部とを有し、前記第１〜第ｎの中継排水経路のうち一の中継排水経路の一部として機能し、
前記排水中継入力部及び前記排水中継出力部は、前記第１〜第ｎの中継排水経路のうち一の中継排水経路の一部として機能する際、折り返し経路が形成されるように前記所定方向において一方端側及び他方端側となる第２の位置関係で配置される、
ピットカバーシステム。
【発明の詳細な説明】
【技術分野】
【０００１】
この発明は、ピットの上面部に配設された開口部を塞ぐことが可能な移動式のピットカバーシステムに関する。
【背景技術】
【０００２】
一般に、シャシーダイナモメータ装置はピット内に収納されており、ピットの上面部には開口部が配設されている。当該開口部からは、試験対象である自動車の車輪を乗せるためのローラの一部が露出している。当該開口部を移動可能なピットカバーにより塞ぐことができる移動式のピットカバーシステムが、例えば特許文献１に開示されている。
【０００３】
また、シャシーダイナモメータを備えた試験室の床を構成する領域に路面輻射装置を設け、輻射熱制御装置の制御下で路面輻射装置の発熱量が試験室内の温度に応じて制御する高温環境試験装置が、例えば特許文献２に開示されている。
【先行技術文献】
【特許文献】
【０００４】
【特許文献１】国際公開第２０１４／１９６０２５号
【特許文献２】特開平５−２８１０９８号公報
【発明の概要】
【発明が解決しようとする課題】
【０００５】
しかしながら、特許文献１に開示された従来のピットカバーシステムは、ピットカバー自体の温度を調節する機能は設けられておらず、室内の空気の温度によって温めたり冷やされたりしており、温度を変化させて試験を行う際に温度変化には時間を要するという問題点があった。
【０００６】
一方、特許文献２に開示された高温環境試験装置は、移動式のピットカバーを有しておらず、ピットカバーシステム本来の目的である開口部を塞ぐことができていない。すなわち、ピットカバーシステムの前提となる技術を有していないという問題点があった。
【０００７】
この発明は上記問題点を解決するためになされたもので、開口部を塞ぐという本来の機能を有し、かつ、床面の温度調整を迅速かつ精度良く行うことができるピットカバーシステムを得ることを目的とする。
【課題を解決するための手段】
【０００８】
この発明に係る請求項１記載のピットカバーシステムは、ピットの上面部に配設された開口部を塞ぐ床面を構成する移動式のキャタピラ部を有するピットカバーシステムであって、前記キャタピラ部は複数のキャタピラ単体を有し、前記複数のキャタピラ単体は、それぞれ給水口から熱交換用液体を受け、排水口から熱交換用液体を排出する流路構造を有し、前記複数のキャタピラ単体の給水口に中継給水経路を介して熱交換用液体を給水する給水機構と、前記複数のキャタピラ単体の排水口から排出される熱交換用液体を、中継排水経路を介して排出する排水機構とをさらに備える。
【発明の効果】
【０００９】
請求項１記載の本願発明であるピットカバーシステムにおいて、キャタピラ部を構成する複数のキャタピラ単体は、それぞれ給水口から熱交換用液体を受け、排水口から熱交換用液体を排出する流路構造を有している。このため、複数のキャタピラ単体それぞれの流路構造に熱交換用液体を流すことにより、所望の温度に複数のキャタピラ単体を温度調整することができる。
【００１０】
その結果、請求項１記載の本願発明のピットカバーシステムは、床面を構成するキャタピラ部によって開口部を塞ぐという本来の機能を有し、かつ、床面の温度調整を迅速かつ精度良く行うことができる効果を奏する。
【図面の簡単な説明】
【００１１】
【図１】この発明の実施の形態１であるピットカバーシステムにおける、固定されたピットカバー部の断面構造を示す断面図である。
【図２】実施の形態１のピットカバーシステムにおける、移動可能なキャタピラ部の断面構造を模式的に示す説明図である。
【図３】実施の形態１の変形例であるピットカバーシステムの一部を示す説明図である。
【図４】実施の形態２のピットカバーシステムにおける、移動可能なキャタピラ部の構成（給水機能構成）を模式的に示す説明図である。
【図５】実施の形態２のピットカバーシステムにおけるキャタピラ部の構成（排水機能構成）を模式的に示す説明図である。
【図６】実施の形態２のキャタピラ部の構造の詳細を示す説明図である。
【図７】この発明の前提技術となる、ピットカバーシステム及びシャシーダイナモメータ装置を含むシステムの全体構成を示す断面図である。
【図８】固定される複数のピットカバー片の断面構造を示す断面図である。
【図９】移動可能な複数のピットカバー片の断面構造を示す断面図である。
【発明を実施するための形態】
【００１２】
＜前提技術＞
図７はこの発明の前提技術となる、ピットカバーシステムおよびシャシーダイナモメータ装置を含むシステムの全体構成を示す断面図である。この構成と類似の構成が例えば特許文献１に開示されている。
【００１３】
図７に示すように、床面３０の下に、空洞部であるピット２０が設けられている。そして、当該ピット２０内には、シャシーダイナモメータ装置１０Ａ，１０Ｂが配設されている。
【００１４】
図７に示すように、ピット２０の底面部には、複数のレール４（図７では１つのレール４のみ図示）が図７の左右方向に延設されており、一方のシャシーダイナモメータ装置１０Ａは、当該レール４上を移動することができる。つまり、シャシーダイナモメータ装置１０Ａは、モータ等の動力源によって、レール４上に沿って図７の左右方向を移動方向Ｍ１０として移動可能である。これに対して、他方のシャシーダイナモメータ装置１０Ｂは、ピット２０内の底面に固定されている。
【００１５】
なお、シャシーダイナモメータ装置１０Ａ，１０Ｂの上面と床面３０とは面一となっており、シャシーダイナモメータ装置１０Ａ，１０Ｂの上面部からはローラ１が露出している。ここで、当該露出している各ローラ１上に、試験対象の自動車のタイヤが載置される。
【００１６】
また、図７に示すように、複数のピットカバー片２が配設されている。図７に示す構成例では、ピット２０の上面部（床面３０）位置からピット２０内部方向に沿って、垂直方向（図７の上下方向）に、複数のピットカバー片２が配置されていると共に、当該垂直方向に対して直角な方向である水平方向（図７の左右方向）に、複数のピットカバー片２が配設されている。
【００１７】
図７の構成例において、当該水平方向に配設されているピットカバー片２が存在しない領域は、ピット２０の上面部は開口されている開口部が配設されることになる。したがって、当該開口部を塞ぐために、水平方向に複数のピットカバー片２を配設する必要がある。ここで、水平方向に配設されている複数のピットカバー片２の上面と床面３０とは面一となっている。よって、水平方向に配設されている複数のピットカバー片２の上面とシャシーダイナモメータ装置１０Ａ，１０Ｂの上面と床面３０とは、面一となっている。
【００１８】
図７において、垂直方向に配設されているピットカバー片２は、当該垂直方向に移動可能であり、水平方向に配設されているピットカバー片２は、図７の左右方向に移動可能である。
【００１９】
上記の通り、シャシーダイナモメータ装置１０Ｂは固定されているが、シャシーダイナモメータ装置１０Ａは、図７の左右方向に移動可能である。たとえば、試験対象である自動車のサイズにより、タイヤの位置（つまり、前タイヤと後タイヤとの間隔）が異なる。そこで、試験対象の自動車のサイズが異なる場合には、シャシーダイナモメータ装置１０Ｂを固定しつつ、シャシーダイナモメータ装置１０Ａを図７の左右方向に移動させる。
【００２０】
このような構成において、水平方向に配設されている複数のピットカバー片２の数を増やしたり、減らしたりすることにより、シャシーダイナモメータ装置１０Ａの移動方向Ｍ１０に沿った移動により生じした開口部を塞ぐことができる。
【００２１】
例えば、シャシーダイナモメータ装置１０Ａが図中の右側に移動する場合、その移動量に合わせて、シャシーダイナモメータ装置１０Ａの右側に水平方向に配設されている複数のピットカバー片２の数を減らし、シャシーダイナモメータ装置１０Ａの左側に水平方向に配設されている複数のピットカバー片２の数を増やすことにより、シャシーダイナモメータ装置１０Ａのローラ１にピットカバー片２が接触することなく、シャシーダイナモメータ装置１０Ａの移動後の開口部を塞ぐことができる。
【００２２】
この際、シャシーダイナモメータ装置１０Ａの右側に水平方向に配設されている複数のピットカバー片２の数が減少した分、シャシーダイナモメータ装置１０Ａの右側に垂直方向に配設されている複数のピットカバー片２の数を増加することになる。
【００２３】
同様にして、シャシーダイナモメータ装置１０Ａの左側に水平方向に配設されている複数のピットカバー片２の数が増加した分、シャシーダイナモメータ装置１０Ａの左側に垂直方向に配設されている複数のピットカバー片２の数が減少することになる。
【００２４】
このように水平方向に配設されている複数のピットカバー片２の増減を、垂直方向に配設されている複数のピットカバー片２の増減により吸収することができる。
【００２５】
一方、シャシーダイナモメータ装置１０Ｂは固定されているため、水平方向に配設されている複数のピットカバー片１２は常に固定されている。
【００２６】
なお、図７で示した構造は模式的に示した構造であり、複数のピットカバー片２及び複数のピットカバー片１２の実際の形状を反映したものではない。
【００２７】
図８は図７で示した複数のピットカバー片１２の断面構造を示す断面図である。同図に示すように、各ピットカバー片１２はカバー枠体部５１より構成されており、カバー枠体部５１は下方を開口させた断面視コの字状を呈している。このようなピットカバー片１２を水平方向に沿って複数固定配置することによりピットカバー部１７が構成される。このピットカバー部１７が床面３０を構成する。
【００２８】
図９は図７で示した複数のピットカバー片２の断面構造を示す断面図である。同図にＸＹ直交座標系を記している。図９で示したキャタピラ部１８は、図７で示したシャシーダイナモメータ装置１０Ａの図中右側に存在し、水平方向及び垂直方向に配設された複数のピットカバー片２に相当する。
【００２９】
同図に示すように、図７で示したピットカバー片２に対応するキャタピラ単体８はカバー枠体部５３より構成されており、カバー枠体部５３は下方を開口させた断面視コの字状を呈している。
【００３０】
なお、カバー枠体部５３はピットカバー片１２のカバー枠体部５１と比較して小さいサイズで設けられる。
【００３１】
このようなキャタピラ単体８が複数個連続的に結合されることによりキャタピラ部１８が構成される。複数のキャタピラ単体８を移動方向Ｍ８に沿って全体的に移動させ、床面３０に沿って水平方向に配設されるキャタピラ単体８の個数の増減を図ることにより、シャシーダイナモメータ装置１０Ａの移動によって生じた開口部を塞ぐことができる。
【００３２】
例えば、図９で示す状態から、左側に位置する図示しないシャシーダイナモメータ装置１０Ａがさらに左方に移動距離Ｄ１で移動した場合、所定の動力源によってキャタピラ部１８を移動方向Ｍ８に沿って移動距離Ｄ１に相当する分移動させる。その結果、床面３０に沿って水平方向に配設されるキャタピラ単体８の個数が移動距離Ｄ１に相当する分増加し、シャシーダイナモメータ装置１０Ａの移動によって生じた開口部を的確に塞ぐことができる。
【００３３】
なお、床面３０に沿って水平方向に配設されていないキャタピラ単体８は、床面３０の内部に略垂直方向に沿って収納されることになる。
【００３４】
このように、従来のピットカバーシステムは、開口部を塞ぐという本来の機能を有している反面、床面３０の温度調整は全く行っていなかった。
【００３５】
＜実施の形態１＞
図１はこの発明の実施の形態１であるピットカバーシステムにおける、固定されたピットカバー部１５の断面構造を示す断面図である。
【００３６】
同図に示すように、各ピットカバー片５はカバー枠体部５１より構成されており、カバー枠体部５１は下方を開口させた断面視コの字状を呈している。
【００３７】
さらに、ピットカバー片５は、熱交換用液体３５を流すことができる流路構造が内部に設けられたカバー流路部５２を、カバー枠体部５１の下方においてカバー枠体部５１の上面に連結して設けている。
【００３８】
熱交換用液体３５の代表例として冷却用液体が考えられる。冷却用液体は、冷凍機の冷媒の冷凍能力を冷却される品物 (被冷凍物) に伝える役割をする熱媒体であり、「ブライン」と呼ばれる。また、熱交換用液体３５として加熱用液体を用いることも考えられる。加熱用液体は、加熱機の加熱能力で温められた加熱能力を品物 (被加熱物) に伝える役割をする熱媒体である。以下では、説明の都合上、熱交換用液体３５として冷却用液体を用いる場合を代表して説明する。
【００３９】
このように、各ピットカバー片５はカバー枠体部５１及びカバー流路部５２を主要構成部として含んでいる。このようなピットカバー片５を水平方向に沿って複数個、固定配置することにより位置が固定されたピットカバー部１５が構成される。
【００４０】
ピットカバー片５が図７で示したピットカバー片１２に相当し、複数のピットカバー片５におけるカバー枠体部５１の上面が図７で示した床面３０を構成する。
【００４１】
図２は実施の形態１のピットカバーシステムにおける、移動可能なキャタピラ部１６の断面構造を模式的に示す説明図である。
【００４２】
同図に示すように、キャタピラ部１６は複数のキャタピラ単体６と所定数のホース４０とを主要構成部として含んでいる。
【００４３】
各キャタピラ単体６は液体流路本体部６１、液体中継部６２及びホース接続部６３を主要構成部として含んでいる。
【００４４】
液体流路本体部６１は断面構造が略矩形状の角筒形状を呈しており、角筒内に形成された空洞部に熱交換用液体３５を流す流路構造が設けられる。すなわち、液体流路本体部６１の給水口に熱交換用液体３５を受け、熱交換用液体３５が上記流路構造内を流れ、液体流路本体部６１の排水口から熱交換用液体３５を排出している。なお、液体流路本体部６１は図１で示したピットカバー片５のカバー枠体部５１と比較して小さいサイズで設けられる。
【００４５】
液体中継部６２は液体流路本体部６１とホース接続部６３との間の熱交換用液体３５の中継を行う部位であり、液体流路本体部６１の給水口あるいは排水口に繋がるように設けられる。
【００４６】
ホース接続部６３は液体中継部６２に連通しており、液体中継部６２を介して液体流路本体部６１の給水口から熱交換用液体３５を供給する給水機能、液体流路本体部６１内の熱交換用液体３５を液体中継部６２を介して外部に排出する排水機能を実現するための補助給水部あるいは補助排水部として用いられる。
【００４７】
さらに、複数のキャタピラ単体６間のうち、隣接する一対のキャタピラ単体６のホース接続部６３，６３間を給水用あるいは排水用のホース４０で接続することにより、複数のキャタピラ単体６間で熱交換用液体３５の中継が行える中継経路Ｒ１が設けられる。
【００４８】
なお、後に詳述するが、液体中継部６２として、一つの液体流路本体部６１に対し給水用液体中継部６２Ｗと排水用液体中継部６２Ｄとが設けられる。同様に、ホース接続部６３として、一つの液体流路本体部６１に対し給水用ホース接続部６３Ｗと排水用ホース接続部６３Ｄとが設けられる。さらに、後に詳述するように、中継経路Ｒ１として、給水経路として機能する中継給水経路と、排水経路として機能する中継排水経路とが設けられる。
【００４９】
このように、複数のキャタピラ単体６と、複数のキャタピラ単体６間を接続する所定数のホース４０とを主要構成としてキャタピラ部１６が構成される。
【００５０】
キャタピラ部１６は、所定の動力源により、ピットの上面部に配設された開口部を塞ぐように移動方向Ｍ６（所定方向）に沿って移動可能に設けられる。なお、キャタピラ部１６をシャシーダイナモメータ装置１０Ａに連結して設けることにより、シャシーダイナモメータ装置１０Ａの移動用動力源を所定の動力源として利用することもできる。
【００５１】
なお、移動内容は図９で示した前提技術と基本的に同じであるため、説明を省略する。また、図９で示した複数のキャタピラ単体８と同様に、複数のキャタピラ単体６の少なくとも一部における液体流路本体部６１の上面が床面３０を構成するように配置される。
【００５２】
実施の形態１のピットカバーシステムは、上述したキャタピラ部１６と、キャタピラ部１６に熱交換用液体３５を供給する給水機構と、キャタピラ部１６から排出される熱交換用液体３５を受ける排水機構とを主要構成部として含んで構成される。
【００５３】
このような構成の実施の形態１のピットカバーシステムにおいて、中継経路Ｒ１が中継給水経路として機能する場合、図示しない熱交換用液体３５の給水機構から中継経路Ｒ１に熱交換用液体３５を供給することにより、中継経路Ｒ１に熱交換用液体３５を流しながら、中継経路Ｒ１を介して、キャタピラ部１６の複数のキャタピラ単体６それぞれの液体流路本体部６１内の流路構造に熱交換用液体３５を供給する給水動作が行える。
【００５４】
さらに、実施の形態１のピットカバーシステムにおいて、中継経路Ｒ１が中継排水経路として機能する場合、キャタピラ部１６の複数のキャタピラ単体６それぞれから排出される熱交換用液体３５を中継経路Ｒ１を介して外部の図示しない排水機構に排出することにより、熱交換用液体３５の外部の排水機構への排水動作が行える。
【００５５】
実施の形態１のピットカバーシステムにおいて、キャタピラ部１６における複数のキャタピラ単体６の少なくとも一部が床面３０を構成し、それぞれ液体流路本体部６１の給水口から冷却用液体である熱交換用液体３５を受け、液体流路本体部６１の排水口から熱交換用液体３５を排出する流路構造を有している。
【００５６】
このため、複数のキャタピラ単体６それぞれの液体流路本体部６１の流路構造に熱交換用液体３５を流すことにより、所望の温度に複数のキャタピラ単体６を冷却して温度調整することができる。
【００５７】
同様に、複数のピットカバー片５それぞれのカバー流路部５２の流路構造に熱交換用液体３５を流すことにより、所望の温度に複数のピットカバー片５を冷却して温度調整するすることができる。
【００５８】
なお、液体流路本体部６１の流路構造への熱交換用液体３５を流す第１の流路制御と、カバー流路部５２の流路構造への熱交換用液体３５を流す第２の流路制御とをそれぞれ適切に行うことにより、固定されたピットカバー部１５と移動するキャタピラ部１６との温度が同一の所望の温度になるように設定することができる。
【００５９】
その結果、実施の形態１のピットカバーシステムは、キャタピラ部１６によって開口部を塞ぐという本来の機能を有し、かつ、複数のキャタピラ単体６の少なくとも一部によって構成される床面３０の温度調整を迅速かつ精度良くに行うことができる効果を奏する。
【００６０】
（変形例）
図３は実施の形態１の変形例であるピットカバーシステムの一部を示す説明図である。同図に示すように、実施の形態１の変形例では、各々が、複数のキャタピラ単体６のうち、互いに隣接する一対のキャタピラ単体６，６の間（の上面）を跨るように設けられる所定数の渡り板６６をさらに備えるという特徴を有している。
【００６１】
所定数の渡り板６６はそれぞれ、隣接する一対のキャタピラ単体６，６のうち、一方にのみ固定され、他方とは開放される。
【００６２】
例えば、所定数の渡り板６６は左方のキャタピラ単体６の液体流路本体部６１の上面に固定し、右方のキャタピラ単体６の液体流路本体部６１の上面には固定しない態様が考えられる。この態様について詳述する。図３の最も左側に位置するキャタピラ単体６と左から２番目に位置するキャタピラ単体６との間に、それぞれの液体流路本体部６１の上面を跨がって渡り板６６が設けられている。この渡り板６６は最左に位置するキャタピラ単体６の液体流路本体部６１の上面にのみ固定され、左から２番目に位置するキャタピラ単体６の液体流路本体部６１の上面とは固定されることなく開放されている。すなわち、渡り板６６は左から２番目に位置するキャタピラ単体６の液体流路本体部６１の上面上に固定されることなく配置されている。
【００６３】
このため、図３において、最右に位置するキャタピラ単体６のように湾曲する移動経路が存在する場合でも、隣接する一対のキャタピラ単体６，６間の上面を跨がって渡り板６６を支障無く配置することができる。
【００６４】
実施の形態１の変形例のピットカバーシステムは、渡り板６６の存在により、上方から異物が落下し、互いに隣接する一対のキャタピラ単体６，６間に異物が挟まったり、一対のキャタピラ単体６，６間を異物が通過したりした場合に、下方に存在するホース４０等の配管が破損するような事象を確実に回避することができる効果を奏する。
【００６５】
＜実施の形態２＞
図４は実施の形態２のピットカバーシステムにおけるキャタピラ部１６Ｂの構成（給水機能構成）を模式的に示す説明図である。なお、実施の形態２のピットカバーシステムにおいても、固定されたピットカバー部は、図１で示したピットカバー部１５と同様な構造を呈している。
【００６６】
同図に示すように、複数のキャタピラ単体６と、複数のキャタピラ単体６間を接続する所定数の給水側ホース４０Ｗとを主要構成としてキャタピラ部１６Ｂの給水機能が構成される。
【００６７】
各キャタピラ単体６は給水機能を実現する構成として、液体流路本体部６１、給水用液体中継部６２Ｗ及び給水用ホース接続部６３Ｗを主要構成部として含んでいる。
【００６８】
液体流路本体部６１は断面構造が略矩形状の角筒形状を呈しており、角筒内に形成された空洞部に熱交換用液体３５を流す流路構造が設けられる。すなわち、液体流路本体部６１の給水口２１（後に示す図６(c)参照）に熱交換用液体３５を受け、熱交換用液体３５が上記流路構造内を流れ、液体流路本体部６１の排水口２２（後に示す図６(b)及び図６(c)参照）から熱交換用液体３５を排出している。
【００６９】
給水用液体中継部６２Ｗは液体流路本体部６１と給水用ホース接続部６３Ｗとの間の熱交換用液体３５の中継を行う部位であり、液体流路本体部６１の給水口２１に繋がるように設けられる。
【００７０】
給水用ホース接続部６３Ｗは給水用液体中継部６２Ｗに連通しており、給水用液体中継部６２Ｗを介して液体流路本体部６１の給水口２１から熱交換用液体３５を供給する給水動作を補助する給水補助部として機能する。
【００７１】
さらに、複数のキャタピラ単体６に対し、熱交換用液体３５の中継用に各々が給水側ホース４０Ｗを介して異なるキャタピラ単体６に接続される３つの中継給水経路Ｒ１１〜Ｒ１３（第１〜第ｎの中継給水経路からなるｎ個の中継給水経路，ｎ＝３）が設けられる。
【００７２】
中継給水経路Ｒ１１〜Ｒ１３はそれぞれ移動方向Ｍ６（所定方向）に沿って３個置きにキャタピラ単体６，６間を接続するように給水側ホース４０Ｗを設けることにより、複数のキャタピラ単体６に給水用の熱交換用液体３５を中継する中継機能を有している。
【００７３】
以下、図４の（）内に示すように、複数のキャタピラ単体６をキャタピラ単体６（１）〜６（９）と識別可能に分類して、中継給水経路Ｒ１１〜Ｒ１３について詳述する。
【００７４】
まず、熱交換用液体３５の図示しない給水源に給水側集約部３１が接続される。給水源と給水側集約部３１とにより給水機構が構成される。
【００７５】
そして、給水側集約部３１からキャタピラ単体６（１）、６（４）及び６（７）の順で３個置きに接続されるように給水側ホース４０Ｗが設けられる。したがって、給水側集約部３１から給水側ホース４０Ｗを介して形成されるキャタピラ単体６（１）、６（４）及び６（７）の経路が中継給水経路Ｒ１１となる。
【００７６】
さらに、給水側集約部３１からキャタピラ単体６（２）、６（５）及び６（８）の順で３個置きに接続されるように給水側ホース４０Ｗが設けられる。したがって、給水側集約部３１から給水側ホース４０Ｗを介して形成されるキャタピラ単体６（２）、６（５）及び６（８）の経路が中継給水経路Ｒ１２となる。
【００７７】
加えて、給水側集約部３１からキャタピラ単体６（３）、６（６）及び６（９）の順で３個置きに接続されるように給水側ホース４０Ｗが設けられる。したがって、給水側集約部３１から給水側ホース４０Ｗを介して形成されるキャタピラ単体６（３）、６（６）及び６（９）の経路が中継給水経路Ｒ１３となる。
【００７８】
このように、複数のキャタピラ単体６と、複数のキャタピラ単体６間を３個置きに接続する複数の給水側ホース４０Ｗとを主要構成部としてキャタピラ部１６Ｂの給水機能が構成される。
【００７９】
なお、実用上、給水側集約部３１はシャシーダイナモメータ装置１０Ａの近傍に固定して設けられる可能性が高い。したがって、給水側集約部３１，キャタピラ単体６（１）間、給水側集約部３１，キャタピラ単体６（２）間、及び給水側集約部３１，キャタピラ単体６（３）間を接続する給水側ホース４０Ｗはキャタピラ部１６Ｂの移動量を考慮して比較的長い形成長で設けられる。
【００８０】
キャタピラ部１６Ｂは、キャタピラ部１６と同様、所定の動力源により、ピットの上面部に配設された開口部を塞ぐように移動方向Ｍ６に沿って移動可能である。
【００８１】
図５は実施の形態２のピットカバーシステムにおけるキャタピラ部１６Ｂの構成（排水機能構成）を模式的に示す説明図である。
【００８２】
同図に示すように、複数のキャタピラ単体６と、複数のキャタピラ単体６間を接続する所定数の排水側ホース４０Ｄとを主要構成としてキャタピラ部１６Ｂの排水機能が構成される。
【００８３】
各キャタピラ単体６は排水機能を実現する構成として、液体流路本体部６１、排水用液体中継部６２Ｄ及び排水用ホース接続部６３Ｄを主要構成部として含んでいる。
【００８４】
排水用液体中継部６２Ｄは液体流路本体部６１と排水用ホース接続部６３Ｄとの間の熱交換用液体３５の中継を行う部位であり、液体流路本体部６１の排水口２２に繋がるように設けられる。
【００８５】
排水用ホース接続部６３Ｄは排水用液体中継部６２Ｄに連通しており、液体流路本体部６１の排水口２２から排出される熱交換用液体３５を排水用液体中継部６２Ｄを介して受け、接続される排水側ホース４０Ｄに熱交換用液体３５を排出する排水動作を補助する補助排水部として機能する。
【００８６】
さらに、複数のキャタピラ単体６に対し、熱交換用液体３５の中継用に各々が排水側ホース４０Ｄを介して異なるキャタピラ単体６に接続される３つの中継排水経路Ｒ２１〜Ｒ２３（第１〜第ｎの中継排水経路からなるｎ個の中継排水経路，ｎ＝３）が設けられる。
【００８７】
中継排水経路Ｒ２１〜Ｒ２３はそれぞれ移動方向Ｍ６（所定方向）に沿って３個置きにキャタピラ単体６，６間を接続するように排水側ホース４０Ｄを設けることにより、複数のキャタピラ単体６に排水用の熱交換用液体３５を中継する中継機能を有している。
【００８８】
以下、図５の（）内に示すように、複数のキャタピラ単体６をキャタピラ単体６（１）〜６（９）と識別可能に分類して、中継排水経路Ｒ２１〜Ｒ２３について詳述する。
【００８９】
まず、熱交換用液体３５の図示しない排水処理部に排水側集約部３２が接続される。排水処理部と排水側集約部３２とにより排水機構が構成される。
【００９０】
そして、排水側集約部３２からキャタピラ単体６（７）、６（４）及び６（１）の順で３個置きに接続されるように排水側ホース４０Ｄが設けられる。したがって、排水側集約部３２から排水側ホース４０Ｄを介して形成されるキャタピラ単体６（７）、６（４）及び６（１）の経路が中継排水経路Ｒ２１となる。
【００９１】
さらに、排水側集約部３２からキャタピラ単体６（８）、６（５）及び６（２）の順で３個置きに接続されるように排水側ホース４０Ｄが設けられる。したがって、排水側集約部３２から排水側ホース４０Ｄを介して形成されるキャタピラ単体６（８）、６（５）及び６（２）の経路が中継排水経路Ｒ２２となる。
【００９２】
加えて、排水側集約部３２からキャタピラ単体６（９）、６（６）及び６（３）の順で３個置きに接続されるように排水側ホース４０Ｄが設けられる。したがって、排水側集約部３２から排水側ホース４０Ｄを介して形成されるキャタピラ単体６（９）、６（６）及び６（３）の経路が中継排水経路Ｒ２３となる。
【００９３】
このように、複数のキャタピラ単体６と、複数のキャタピラ単体６間を接続する複数の排水側ホース４０Ｄとを主要構成としてキャタピラ部１６Ｂの排水機能が構成される。
【００９４】
なお、実用上、排水側集約部３２はシャシーダイナモメータ装置１０Ａの近傍に固定して設けられる可能性が高い。したがって、排水側集約部３２，キャタピラ単体６（９）間、排水側集約部３２，キャタピラ単体６（８）間、及び排水側集約部３２，キャタピラ単体６（７）間を接続する排水側ホース４０Ｄはキャタピラ部１６Ｂの移動量を考慮して比較的長い形成長で設ける必要がある。
【００９５】
図４及び図５を参照して説明したように、キャタピラ部１６Ｂは給水側集約部３１を介した給水機能及び排水側集約部３２を介した排水機能を有している。
【００９６】
すなわち、実施の形態２のピットカバーシステムにおいて、３つの中継給水経路Ｒ１１〜Ｒ１３は最終的に対応するキャタピラ単体６の給水口２１に接続されることにより給水機能を実現し、３つの中継排水経路Ｒ２１〜Ｒ２３は最終的に対応するキャタピラ単体６の排水口２２に接続されることにより排水機能を実現している。
【００９７】
このキャタピラ部１６Ｂは、実施の形態１のキャタピラ部１６と同様、所定の動力源により、複数のキャタピラ単体６のうち少なくとも一部によってピットの上面部に配設された開口部を塞ぐように、移動方向Ｍ６に沿って移動可能である。
【００９８】
上述したように、実施の形態２のピットカバーシステムにおいて、３つの中継給水経路Ｒ１１〜Ｒ１３はそれぞれ移動方向Ｍ６に沿って３個置きに、対応するキャタピラ単体６の給水口２１に接続され、かつ、３つの中継排水経路Ｒ２１〜Ｒ２３はそれぞれ移動方向Ｍ６に沿って３個置きに、対応するキャタピラ単体６の排水口２２に接続される。
【００９９】
このため、３つの中継給水経路Ｒ１１〜Ｒ１３を実現すべく、互いに３個置きの間隔で近接する一対のキャタピラ単体６，６間を配管である給水側ホース４０Ｗを用いて接続する際における最小給水配管長を、隣接するキャタピラ単体６，６間の距離であるキャタピラピッチＣＰ（図４参照）の３倍の長さ以上で確保することができる。
【０１００】
同様に、３つの中継排水経路Ｒ２１〜Ｒ２３を実現すべく、互いに３個置きの間隔で近接する一対のキャタピラ単体６，６間を排水側ホース４０Ｄを用いて接続する際における最小排水配管長を、キャタピラピッチＣＰの３倍の長さ以上で確保することができる。
【０１０１】
その結果、実施の形態２のピットカバーシステムにおいて、３つの中継給水経路Ｒ１１〜Ｒ１３あるいは３つの中継排水経路Ｒ２１〜Ｒ２３に用いられる給水側ホース４０Ｗあるいは排水側ホース４０Ｄは、複数のキャタピラ単体６の移動方向Ｍ６に移動時に湾曲する経路が存在する場合でも、許容曲げ半径より短くなる許容曲げ半径超過現象を確実に抑制することができる。
【０１０２】
（詳細構造）
図６は実施の形態２のキャタピラ部１６Ｂの構造の詳細を示す説明図である。同図(a)はキャタピラ部１６Ｂを下方から視た平面図であり、同図(b)はキャタピラ部１６を下方から視た斜視図であり、同図(c)はキャタピラ部１６Ｂを側面から視た断面図である。なお、図６(a)〜(c)それぞれにＸＹＺ直交座標系を記している。
【０１０３】
図６に示すように、複数のキャタピラ単体６（キャタピラ単体６（１）〜６（９））は、上述した液体流路本体部６１、給水用液体中継部６２Ｗ、排水用液体中継部６２Ｄ、給水用ホース接続部６３Ｗ及び排水用ホース接続部６３Ｄに加え、液体流路本体部６１からＹ方向の両端に延在して一対のチェーン接続部６５が液体流路本体部６１と一体化して設けられている。複数のキャタピラ単体６それぞれの一対のチェーン接続部６５に一対のチェーン７０が接続される。その結果、一対のチェーン７０によって複数のキャタピラ単体６間が一体的に連結される。
【０１０４】
したがって、一対のチェーン７０を所定の動力源によって図中Ｘ方向に沿って移動させることにより、キャタピラ部１６Ｂの複数のキャタピラ単体６は一体的にＸ方向、すなわち、移動方向Ｍ６に合致した水平方向に沿った移動が可能となる。
【０１０５】
図６(c)に示すように、給水用液体中継部６２Ｗは液体流路本体部６１の給水口２１に接続され、図６(b)及び図６(c)に示すように、排水用液体中継部６２Ｄは液体流路本体部６１の排水口２２に接続される。なお、図６(b)に示すように、実施の形態１の変形例と同様、実施の形態２においても、互いに隣接する一対のキャタピラ単体６，６間を跨るように、所定数の渡り板６６をさらに設けても良い。
【０１０６】
また、各給水用ホース接続部６３Ｗは給水用液体中継部６２Ｗと連通する接続部以外に、外部より熱交換用液体３５を受ける給水中継入力部７１Ｗと、外部に熱交換用液体３５を供給する給水中継出力部７２Ｗとを有している。
【０１０７】
同様に、各排水用ホース接続部６３Ｄは排水用液体中継部６２Ｄと連通する接続部以外に、外部より熱交換用液体３５を受ける排水中継入力部７１Ｄと、外部に熱交換用液体３５を排出する排水中継出力部７２Ｄとを有している。
【０１０８】
以下、給水用ホース接続部６３Ｗを含む中継給水経路Ｒ１１の構成について説明する。図６(a)に示すように、給水側集約部３１と、キャタピラ単体６（１）の給水用ホース接続部６３Ｗの給水中継入力部７１Ｗとは、給水側ホース４０Ｗによって接続される。
【０１０９】
そして、キャタピラ単体６（１）の給水用ホース接続部６３Ｗの給水中継出力部７２Ｗと、キャタピラ単体６（４）の給水用ホース接続部６３Ｗの給水中継入力部７１Ｗとは、給水側ホース４０Ｗを介して接続される。
【０１１０】
さらに、キャタピラ単体６（４）の給水用ホース接続部６３Ｗの給水中継出力部７２Ｗと、キャタピラ単体６（７）の給水用ホース接続部６３Ｗの給水中継入力部７１Ｗとは、給水側ホース４０Ｗを介して接続される。
【０１１１】
図６(a)に示すように、給水用ホース接続部６３ＷはＸＹ平面で平面視してＳ字状に形成されており、給水用ホース接続部６３Ｗの存在によって中継給水経路Ｒ１１に折り返し経路が形成されるようにしている。
【０１１２】
すなわち、中継給水経路Ｒ１１を構成する各給水用ホース接続部６３Ｗにおいて、給水中継入力部７１Ｗが右（＋Ｘ方向）側端部付近に設けられ、給水中継出力部７２Ｗが左（−Ｘ方向）側端部付近に設けられる。
【０１１３】
したがって、各給水用ホース接続部６３Ｗの給水中継入力部７１Ｗ及び給水中継出力部７２Ｗは、給水側集約部３１，キャタピラ単体６（１）間、キャタピラ単体６（１），６（４）間、及びキャタピラ単体６（４），６（７）間それぞれの給水側ホース４０Ｗの形成長が、給水用ホース接続部６３Ｗに折り返し経路が形成される分、より長く必要とするように配置される。
【０１１４】
なお、中継排水経路Ｒ２２及びＲ２３も中継給水経路Ｒ１１と同様に、各給水用ホース接続部６３Ｗは、中継排水経路Ｒ２２及びＲ２３に折り返し経路が形成されるように平面視Ｓ字状に設けられ、給水中継入力部７１Ｗが右側端部付近に設けられ、給水中継出力部７２Ｗが左側端部付近に設けられる。
【０１１５】
このように、給水補助部である給水用ホース接続部６３Ｗは、給水中継入力部７１Ｗと給水中継出力部７２Ｗとを有し、中継給水経路Ｒ１１〜Ｒ１３のうち一の中継給水経路の一部として機能している。
【０１１６】
そして、給水中継入力部７１Ｗ及び給水中継出力部７２Ｗは、Ｘ方向（所定方向）に沿って右側（一方端側）に給水中継入力部７１Ｗが配置され、左側（他方端側）に給水中継出力部７２Ｗが配置される第１の位置関係を有している。
【０１１７】
給水中継入力部７１Ｗ及び給水中継出力部７２Ｗは上記第１の位置関係を有することにより、中継給水経路Ｒ１１〜Ｒ１３に関し、互いに３個置きに近接する一対のキャタピラ単体６，６間を給水側ホース４０Ｗを用いて接続する際における最小給水配管長がより長くなるようにしている。
【０１１８】
以下、排水用ホース接続部６３Ｄを含む中継排水経路Ｒ２３の構成について説明する。図６(a)に示すように、排水側集約部３２と、キャタピラ単体６（９）の排水用ホース接続部６３Ｄの排水中継出力部７２Ｄとは、排水側ホース４０Ｄによって接続される。
【０１１９】
そして、図６(a)及び図６(b)に示すように、キャタピラ単体６（９）の排水用ホース接続部６３Ｄの排水中継入力部７１Ｄと、キャタピラ単体６（６）の排水用ホース接続部６３Ｄの排水中継出力部７２Ｄとは、排水側ホース４０Ｄを介して接続される。
【０１２０】
さらに、図６(a)に示すように、キャタピラ単体６（６）の排水用ホース接続部６３Ｄの排水中継入力部７１Ｄと、キャタピラ単体６（３）の排水用ホース接続部６３Ｄの排水中継出力部７２Ｄとは、排水側ホース４０Ｄを介して接続される。
【０１２１】
図６(a)及び(b)に示すように、排水用ホース接続部６３ＤはＸＹ平面視してＳ字状に形成されており、排水用ホース接続部６３Ｄによって中継排水経路Ｒ２３に折り返し経路が形成されるようにしている。
【０１２２】
すなわち、中継排水経路Ｒ２３を構成する各排水用ホース接続部６３Ｄにおいて、排水中継入力部７１Ｄが右（＋Ｘ方向）側端部付近に設けられ、排水中継出力部７２Ｄが左（−Ｘ方向）側端部付近に設けられる。したがって、各排水用ホース接続部６３Ｄの排水中継入力部７１Ｄ及び排水中継出力部７２Ｄは、排水側集約部３２，キャタピラ単体６（９）間、キャタピラ単体６（９），６（６）間、及びキャタピラ単体６（６），６（３）間それぞれの排水側ホース４０Ｄの形成長が、排水用ホース接続部６３Ｄに折り返し経路が形成される分、より長く必要とするように配置される。
【０１２３】
なお、中継排水経路Ｒ２１及びＲ２２も中継排水経路Ｒ２３と同様に、各排水用ホース接続部６３Ｄは、中継排水経路Ｒ２１及びＲ２２に折り返し経路が形成されるように平面視Ｓ字状に設けられ、排水中継入力部７１Ｄが右側端部付近に設けられ、排水中継出力部７２Ｄが左側端部付近に設けられる。
【０１２４】
このように、排水補助部である排水用ホース接続部６３Ｄは、排水中継出力部７２Ｄと排水中継入力部７１Ｄとを有し、中継排水経路Ｒ２１〜Ｒ２３のうち一の中継排水経路の一部として機能している。
【０１２５】
そして、排水中継入力部７１Ｄ及び排水中継出力部７２Ｄは、Ｘ方向（所定方向）に沿って右側（一方端側）に排水中継入力部７１Ｄが配置され、左側（他方端側）に排水中継出力部７２Ｄが配置される第２の位置関係を有している。
【０１２６】
排水中継入力部７１Ｄ及び排水中継出力部７２Ｄは上記第２の位置関係を有することにより、中継排水経路Ｒ２１〜Ｒ２３に関し、互いに３個置きに近接する一対のキャタピラ単体６，６間を排水側ホース４０Ｄを用いて接続する際における最小排水配管長がより長くなるようにしている。
【０１２７】
上述したように、実施の形態２のピットカバーシステムに関し、給水補助部である給水用ホース接続部６３Ｗにおける給水中継入力部７１Ｗと給水中継出力部７２Ｗとは上記第１の位置関係で配置され、排水補助部である排水用ホース接続部６３Ｄにおける排水中継入力部７１Ｄと排水中継出力部７２Ｄとは上記第２の位置関係で配置されている。
【０１２８】
このため、実施の形態２のピットカバーシステムは、最小給水配管長及び最小排水配管長を、給水用ホース接続部６３Ｗ及びキャタピラ単体６で折り返す分、必然的により一層長くすることができるため、許容曲げ半径超過現象をより確実に抑制することができる効果を奏する。
【０１２９】
なお、図４〜図６で示した実施の形態２では、３個置きにキャタピラ単体６を接続する３つの中継給水経路Ｒ１１〜Ｒ１３と、３個置きにキャタピラ単体６を接続する３つの中継排水経路Ｒ２１〜Ｒ２３を示したが、この構成に限定されないのは勿論である。
【０１３０】
すなわち、実施の形態２の拡張例として、ｎ（ｎ≧２）個置きにキャタピラ単体６を接続するｎ個の中継給水経路Ｒ１１〜Ｒ１ｎと、ｎ個置きにキャタピラ単体６を接続するｎ個の中継排水経路Ｒ２１〜Ｒ２ｎを有する構成が考えられる。
【０１３１】
上述した実施の形態では、熱交換用液体３５として冷却用液体を代表して説明したが、冷却用液体に代えて加熱用液体を用いる態様も適用可能であることは勿論である。例えば、実施の形態１の場合、複数のキャタピラ単体６それぞれの液体流路本体部６１の流路構造に加熱用液体を熱交換用液体３５として流すことにより、所望の温度に複数のキャタピラ単体６を加熱して温度調整することができる。
【０１３２】
なお、本発明は、その発明の範囲内において、各実施の形態を自由に組み合わせたり、各実施の形態を適宜、変形、省略したりすることが可能である。
【符号の説明】
【０１３３】
５  ピットカバー片
６  キャタピラ単体
１５  ピットカバー部
１６，１６Ｂ  キャタピラ部
２１  給水口
２２  排水口
３１  給水側集約部
３２  排水側集約部
３５  熱交換用液体
４０  ホース
４０Ｄ  排水側ホース４０
４０Ｗ  給水側ホース４０
５１  カバー枠体部
５２  カバー流路部
６１  液体流路本体部
６２  液体中継部
６２Ｄ  排水用液体中継部
６２Ｗ  給水用液体中継部
６３  ホース接続部
６３Ｄ  排水用ホース接続部
６３Ｗ  給水用ホース接続部
６６  渡り板
Ｒ１  中継経路
Ｒ１１〜Ｒ１３  中継給水経路
Ｒ２１〜Ｒ２３  中継排水経路
【図１】
2020085752.tif 000003
【図２】
2020085752.tif 000004
【図３】
2020085752.tif 000005
【図４】
2020085752.tif 000006
【図５】
2020085752.tif 000007
【図６】
2020085752.tif 000008
【図７】
2020085752.tif 000009
【図８】
2020085752.tif 000010
【図９】
2020085752.tif 000011